【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)のための指向性の第1の無線アクセス技術(RAT)に関連する制御情報を第1の基地局で識別するステップであって、前記第1の基地局が、前記指向性の第1のRATを使用して前記UEと通信するように構成される、ステップと、
第2のRATを使用して前記UEに転送するために、前記制御情報を第2の基地局に前記第1の基地局から送信するステップであって、前記指向性の第1のRATが、前記第2のRATとは異なり、前記制御情報が、前記指向性の第1のRATを介した前記UEと前記第1の基地局との間の指向性接続を管理するためのものである、ステップと
を含む方法。
【請求項２】
前記制御情報を前記UEに転送するよう前記第2の基地局に指示する転送情報を前記制御情報に含めるステップ
をさらに含む、請求項1に記載の方法。
【請求項３】
前記転送情報が、前記制御情報が前記第2のRATの制御チャネルまたはデータチャネルを使用して前記第2の基地局によって転送されるべきかどうかを指定する、請求項2に記載の方法。
【請求項４】
前記制御情報が前記第1の基地局から発信されたことを前記UEに示す識別情報を前記制御情報に含めるステップ
をさらに含む、請求項1に記載の方法。
【請求項５】
前記第1の基地局と前記第2の基地局とを接続するバックホールリンクを介して前記第1の基地局から前記第2の基地局に前記制御情報を送信するステップ
をさらに含む、請求項1に記載の方法。
【請求項６】
前記バックホールリンクを介した前記第1の基地局と前記第2の基地局との間、および前記第2の基地局と前記UEとの間の接続が、前記第1の基地局と前記UEとの間の補助リンクを形成する、請求項5に記載の方法。
【請求項７】
前記バックホールリンクがX2インターフェースを含む、請求項5に記載の方法。
【請求項８】
前記指向性の第1のRATを介した前記第1の基地局と前記UEとの間の不十分な直接接続に応答して、前記制御情報を前記第1の基地局から前記第2の基地局に送信するステップ
をさらに含む、請求項1に記載の方法。
【請求項９】
前記制御情報は、前記不十分な直接接続のために、前記指向性の第1のRATを使用して前記第1の基地局から前記UEに送信することができない、請求項8に記載の方法。
【請求項１０】
前記第1の基地局と前記UEとの間の前記不十分な直接接続が、前記指向性の第1のRATを介して前記第1の基地局と前記UEとの間で送信されるべきデータの欠如、前記第1の基地局からの以前の送信ビームの障害、前記第1の基地局に対する前記UEの移動、前記第1の基地局と前記UEとの間の不適切な送信ビーム、前記第1の基地局の過負荷、前記指向性の第1のRATの過負荷、またはそれらの組合せ
のうちの少なくとも1つに起因する、請求項8に記載の方法。
【請求項１１】
前記指向性の第1のRATに関連するリソースを節約するために、前記第1の基地局から前記第2の基地局に前記制御情報を送信するステップ
をさらに含む、請求項1に記載の方法。
【請求項１２】
前記第1の基地局で電力を節約するために、前記第1の基地局から前記第2の基地局に前記制御情報を送信するステップ
をさらに含む、請求項1に記載の方法。
【請求項１３】
前記送信された制御情報に応答した応答情報を前記UEから受信するステップであって、前記応答情報が、最初に、前記第2のRATを使用して前記UEから前記第2の基地局に送信され、次いで、バックホールリンクを介して前記第2の基地局から前記第1の基地局に転送される、ステップ
をさらに含む、請求項1に記載の方法。
【請求項１４】
前記制御情報が、
ビーム探索協調命令、ビーム探索結果、スケジューリンググラント、チャネル品質情報(CQI)コマンド、キープアライブメッセージ、ビーム変更情報、第1の基地局に関する過負荷表示、またはそれらの組合せ
のうちの1つまたは複数を含む、請求項1に記載の方法。
【請求項１５】
前記前記指向性の第1のRATが、ミリメートル波RATである、請求項1に記載の方法。
【請求項１６】
前記第1の基地局が、前記ミリメートル波RATを介して前記UEと通信するためにビームフォーミングを使用する、請求項15に記載の方法。
【請求項１７】
前記第2のRATが、前記指向性の第1のRATよりも信頼性が高く、前記指向性の第1のRATよりも小さい帯域幅容量を有する、請求項1に記載の方法。
【請求項１８】
前記第2のRATがロングタームエボリューション(LTE)RATである、請求項17に記載の方法。
【請求項１９】
ワイヤレス通信のための装置であって、
プロセッサと、
前記プロセッサと電子通信しているメモリと、
前記メモリに記憶された命令とを含み、前記命令が、前記プロセッサによって、
ユーザ機器(UE)のための指向性の第1の無線アクセス技術(RAT)に関連する制御情報を第1の基地局で識別することであって、前記第1の基地局が、前記指向性の第1のRATを使用して前記UEと通信するように構成される、識別することと、
第2のRATを使用して前記UEに転送するために、前記制御情報を第2の基地局に前記第1の基地局から送信することであって、前記指向性の第1のRATが、前記第2のRATとは異なり、前記制御情報が、前記指向性の第1のRATを介した前記UEと前記第1の基地局との間の指向性接続を管理するためのものである、送信することと
を行うために実行可能である、
装置。
【請求項２０】
前記メモリが、前記プロセッサによって、
前記制御情報を前記UEに転送するよう前記第2の基地局に指示する転送情報を前記制御情報に含める
ために実行可能である命令をさらに含む、
請求項19に記載の装置。
【請求項２１】
ワイヤレス通信のための方法であって、
第1の基地局のための指向性の第1の無線アクセス技術(RAT)に関連する制御情報をユーザ機器(UE)において受信するステップであって、前記第1の基地局が前記指向性の第1のRATを使用して前記UEと通信するように構成され、前記制御情報が第2の基地局から前記UEにおいて受信され、前記第2の基地局が第2のRATを使用して前記UEと通信するように構成され、前記指向性の第1のRATが、前記第2のRATとは異なり、前記制御情報が、前記指向性の第1のRATを介した前記UEと前記第1の基地局との間の指向性接続を管理するためのものである、ステップと、
前記第2のRATを使用して前記第2の基地局に応答情報を送信するステップであって、前記応答情報が、前記受信された制御情報に少なくとも部分的に基づいて前記第1の基地局に転送される、ステップと
を含む方法。
【請求項２２】
前記受信された制御情報に応答してタスクを実行するステップであって、前記応答情報が前記実行されたタスクの結果を含む、ステップ
をさらに含む、請求項21に記載の方法。
【請求項２３】
前記受信された制御情報が、
前記第2の基地局と前記第1の基地局との間のバックホールリンクを介して前記第1の基地局に転送するために前記応答情報を前記第2の基地局に送信するよう前記UEに指示する転送情報
を含む、請求項21に記載の方法。
【請求項２４】
前記応答情報が、
チャネル品質指示(CQI)報告、キープアライブメッセージ応答、ビーム変更情報、ビーム探索情報、またはそれらの組合せ
のうちの1つまたは複数を含む、請求項21に記載の方法。
【請求項２５】
前記制御情報が、最初に、前記第1の基地局から前記第2の基地局で受信され、次いで、前記第2のRATを使用して前記第2の基地局から前記UEに転送される、請求項21に記載の方法。
【請求項２６】
ワイヤレス通信のための方法であって、
ユーザ機器(UE)のための指向性の第1の無線アクセス技術(RAT)に関連する制御情報を第1の基地局から受信するステップであって、前記第1の基地局が、前記指向性の第1のRATを使用して前記UEと通信するように構成される、ステップと、
第2のRATを使用して前記UEに前記制御情報を転送するかどうかを決定するステップであって、前記指向性の第1のRATが、前記第2のRATとは異なり、前記制御情報が、前記指向性の第1のRATを介した前記UEと前記第1の基地局との間の指向性接続を管理するためのものである、ステップと
を含む方法。
【請求項２７】
前記決定に少なくとも部分的に基づいて、前記制御情報を前記UEに選択的に転送するステップ
をさらに含む、請求項26に記載の方法。
【請求項２８】
前記制御情報が前記UEに転送されないとき、前記第1の基地局に通知を選択的に送信するステップ
をさらに含む、請求項26に記載の方法。
【請求項２９】
前記第2のRATに関連する制御チャネルまたはデータチャネルを介して前記制御情報を前記UEに送信するステップ
をさらに含む、請求項26に記載の方法。
【請求項３０】
前記制御情報に応答した応答情報を前記UEから受信するステップと、
バックホールリンクを介して前記第1の基地局に前記応答情報を転送するステップと
をさらに含む、請求項26に記載の方法。